【手続補正書】
【提出日】平成20年9月5日(2008.9.5)
【手続補正１】
【補正対象書類名】明細書
【補正対象項目名】特許請求の範囲
【補正方法】変更
【補正の内容】
【特許請求の範囲】
【請求項１】  地上波デジタルテレビジョン放送および地上波デジタル音声放送を受信可能な受信部と、
前記受信部の出力を受け、前記地上波デジタルテレビジョン放送および地上波デジタル音声放送の両放送に共通した信号処理を行う信号処理部と、
前記信号処理部に電力を供給する電源と、
前記信号処理部において前記地上波デジタルテレビジョン放送の一部の帯域または前記地上波デジタル音声放送の信号処理を行う場合には、前記地上波デジタルテレビジョン放送の全帯域の信号処理を行う場合に比して、前記電源の出力電圧値を低くする電圧制御手段と、
前記信号処理部から制御信号を受けつつ、前記制御信号に基づいて、前記地上波デジタルテレビジョン放送および前記地上波デジタル音声放送の各々の信号処理帯域に応じて異なる周波数で、前記信号処理部の動作クロックを生成するクロック生成部と、
前記電源の出力電圧値の増減に起因して生じる前記制御信号の値の増減を補正して、前記クロック生成部に補正済み制御信号を与える第１信号補正部とを、備え、
前記制御信号はデジタル信号であって、
前記第１信号補正部は、
前記デジタル信号の強度に応じて異なるパルス幅のパルス列を発生させるＰＷＭ信号発生器と、
前記ＰＷＭ信号発生器のパルス列を時間的に積分してアナログ信号を生成し、前記クロック生成部に前記アナログ信号を前記補正済み制御信号として与える積分器と
を含み、
前記ＰＷＭ信号発生器は、前記パルス列のパルス幅を前記電源の出力電圧値の増減に応じて補正することにより、前記制御信号の値の増減を補正する
デジタル放送受信機。
【請求項２】  地上波デジタルテレビジョン放送および地上波デジタル音声放送を受信可能な受信部と、
前記受信部の出力を受け、前記地上波デジタルテレビジョン放送および地上波デジタル音声放送の両放送に共通した信号処理を行う信号処理部と、
前記信号処理部に電力を供給する電源と、
前記信号処理部において前記地上波デジタルテレビジョン放送の一部の帯域または前記地上波デジタル音声放送の信号処理を行う場合には、前記地上波デジタルテレビジョン放送の全帯域の信号処理を行う場合に比して、前記電源の出力電圧値を低くする電圧制御手段とを、備え、
前記信号処理部は、
前記地上波デジタルテレビジョン放送または地上波デジタル音声放送のデインタリーブ処理を行うデインタリーブブロックと、
前記デインタリーブ処理を行うに際して用いられるデータを一時的に記憶するためのメモリと、
前記電源の出力電圧値の増減に起因して生じる、前記デインタリーブブロックと前記メモリとの間でやり取りされる信号の値の増減を補正して、前記メモリに前記データを与える第２信号補正部と
を含む
デジタル放送受信機。
【請求項３】  請求項２に記載のデジタル放送受信機であって、
前記地上波デジタルテレビジョン放送または地上波デジタル音声放送には階層が存在し、
前記デインタリーブブロックにおいては、前記階層ごとに階層別デインタリーブ処理部が設けられ、
前記地上波デジタルテレビジョン放送または地上波デジタル音声放送に含まれる前記階層の多寡に応じて、どの前記階層別デインタリーブ処理部を起動させるかが決定され、
前記メモリの記憶領域は前記階層ごとに区分されており、前記階層の多寡に応じてどの前記記憶領域が使用されるかが決定される
デジタル放送受信機。
【請求項４】  無信号周波数帯域たるガードバンドが上下両側に隣接して付された所定の周波数帯域幅で放送される、複数チャンネルを含む地上波デジタル音声放送を受信可能な受信チューナーと、
前記受信チューナーの出力から前記地上波デジタル音声放送の複数チャンネルのうち特定チャンネルの周波数帯域の信号を取り出す第１フィルタと、
前記受信チューナーの出力から上側の前記ガードバンドの信号を取り出す第２フィルタと、
前記受信チューナーの出力から下側の前記ガードバンドの信号を取り出す第３フィルタと、
前記第２フィルタの出力信号の周波数帯域を変調して、前記第１フィルタの出力信号の周波数帯域の上側に移動させる第１変調器と、
前記第３フィルタの出力信号の周波数帯域を変調して、前記第１フィルタの出力信号の周波数帯域の下側に移動させる第２変調器と、
前記第１および第２変調器の出力信号を前記第１フィルタの出力信号に重畳し、前記地上波デジタル音声放送の特定チャンネルの周波数帯域の上下に前記ガードバンドを付け直す加算器と、
前記加算器の出力を受け、前記地上波デジタル音声放送に信号処理を行う信号処理部と
を備えるデジタル放送受信機。
【請求項５】  地上波デジタルテレビジョン放送を受信可能な第１受信部と、
地上波デジタル音声放送を受信可能な第２受信部と、
前記地上波デジタルテレビジョン放送および前記地上波デジタル音声放送がともに受信された場合には、前記第２受信部の出力信号の周波数帯域を変調して、前記第１受信部の出力信号の周波数帯域の隣接領域に移動させる変調器と、
前記変調器の出力信号を前記第１受信機の出力信号に重畳し、前記地上波デジタルテレビジョン放送および前記地上波デジタル音声放送をともに所定の周波数帯域幅に収める加算器と、
前記加算器の出力を受け、前記地上波デジタルテレビジョン放送および地上波デジタル音声放送の両放送に共通した信号処理を行う信号処理部と
を備え、
前記信号処理部においては、
前記加算器から出力される前記所定の周波数帯域幅の信号のフーリエ変換処理が行われ、
前記フーリエ変換処理の後に、前記地上波デジタルテレビジョン放送の信号処理および前記地上波デジタル音声放送の信号処理が時分割多重で行われる
デジタル放送受信機。
【手続補正２】
【補正対象書類名】明細書
【補正対象項目名】００３８
【補正方法】変更
【補正の内容】
【００３８】
【課題を解決するための手段】
請求項１に記載の発明は、地上波デジタルテレビジョン放送および地上波デジタル音声放送を受信可能な受信部と、前記受信部の出力を受け、前記地上波デジタルテレビジョン放送および地上波デジタル音声放送の両放送に共通した信号処理を行う信号処理部と、前記信号処理部に電力を供給する電源と、前記信号処理部において前記地上波デジタルテレビジョン放送の一部の帯域または前記地上波デジタル音声放送の全帯域の信号処理を行う場合には、前記地上波デジタルテレビジョン放送の信号処理を行う場合に比して、前記電源の出力電圧値を低くする電圧制御手段と、前記信号処理部から制御信号を受けつつ、前記制御信号に基づいて、前記地上波デジタルテレビジョン放送および前記地上波デジタル音声放送の各々の信号処理帯域に応じて異なる周波数で、前記信号処理部の動作クロックを生成するクロック生成部と、前記電源の出力電圧値の増減に起因して生じる前記制御信号の値の増減を補正して、前記クロック生成部に補正済み制御信号を与える第１信号補正部とを備え、前記制御信号はデジタル信号であって、前記第１信号補正部は、前記デジタル信号の強度に応じて異なるパルス幅のパルス列を発生させるＰＷＭ信号発生器と、前記ＰＷＭ信号発生器のパルス列を時間的に積分してアナログ信号を生成し、前記クロック生成部に前記アナログ信号を前記補正済み制御信号として与える積分器とを含み、前記ＰＷＭ信号発生器は、前記パルス列のパルス幅を前記電源の出力電圧値の増減に応じて補正することにより、前記制御信号の値の増減を補正するデジタル放送受信機である。
【手続補正３】
【補正対象書類名】明細書
【補正対象項目名】００３９
【補正方法】削除
【補正の内容】
【手続補正４】
【補正対象書類名】明細書
【補正対象項目名】００４０
【補正方法】削除
【補正の内容】
【手続補正５】
【補正対象書類名】明細書
【補正対象項目名】００４１
【補正方法】削除
【補正の内容】
【手続補正６】
【補正対象書類名】明細書
【補正対象項目名】００４２
【補正方法】変更
【補正の内容】
【００４２】
請求項２に記載の発明は、地上波デジタルテレビジョン放送および地上波デジタル音声放送を受信可能な受信部と、前記受信部の出力を受け、前記地上波デジタルテレビジョン放送および地上波デジタル音声放送の両放送に共通した信号処理を行う信号処理部と、前記信号処理部に電力を供給する電源と、前記信号処理部において前記地上波デジタルテレビジョン放送の一部の帯域または前記地上波デジタル音声放送の全帯域の信号処理を行う場合には、前記地上波デジタルテレビジョン放送の信号処理を行う場合に比して、前記電源の出力電圧値を低くする電圧制御手段とを備え、前記信号処理部は、前記地上波デジタルテレビジョン放送または地上波デジタル音声放送のデインタリーブ処理を行うデインタリーブブロックと、前記デインタリーブ処理を行うに際して用いられるデータを一時的に記憶するためのメモリと、前記電源の出力電圧値の増減に起因して生じる、前記デインタリーブブロックと前記メモリとの間でやり取りされる信号の値の増減を補正して、前記メモリに前記データを与える第２信号補正部とを含むデジタル放送受信機である。
【手続補正７】
【補正対象書類名】明細書
【補正対象項目名】００４３
【補正方法】変更
【補正の内容】
【００４３】
請求項３に記載の発明は、請求項２に記載のデジタル放送受信機であって、前記地上波デジタルテレビジョン放送または地上波デジタル音声放送には階層が存在し、前記デインタリーブブロックにおいては、前記階層ごとに階層別デインタリーブ処理部が設けられ、前記地上波デジタルテレビジョン放送または地上波デジタル音声放送に含まれる前記階層の多寡に応じて、どの前記階層別デインタリーブ処理部を起動させるかが決定され、前記メモリの記憶領域は前記階層ごとに区分されており、前記階層の多寡に応じてどの前記記憶領域が使用されるかが決定されるデジタル放送受信機である。
【手続補正８】
【補正対象書類名】明細書
【補正対象項目名】００４４
【補正方法】変更
【補正の内容】
【００４４】
請求項４に記載の発明は、無信号周波数帯域たるガードバンドが上下両側に隣接して付された所定の周波数帯域幅で放送される、複数チャンネルを含む地上波デジタル音声放送を受信可能な受信チューナーと、前記受信チューナーの出力から前記地上波デジタル音声放送の複数チャンネルのうち特定チャンネルの周波数帯域の信号を取り出す第１フィルタと、前記受信チューナーの出力から上側の前記ガードバンドの信号を取り出す第２フィルタと、前記受信チューナーの出力から下側の前記ガードバンドの信号を取り出す第３フィルタと、前記第２フィルタの出力信号の周波数帯域を変調して、前記第１フィルタの出力信号の周波数帯域の上側に移動させる第１変調器と、前記第３フィルタの出力信号の周波数帯域を変調して、前記第１フィルタの出力信号の周波数帯域の下側に移動させる第２変調器と、前記第１および第２変調器の出力信号を前記第１フィルタの出力信号に重畳し、前記地上波デジタル音声放送の特定チャンネルの周波数帯域の上下に前記ガードバンドを付け直す加算器と、前記加算器の出力を受け、前記地上波デジタル音声放送に信号処理を行う信号処理部とを備えるデジタル放送受信機である。
【手続補正９】
【補正対象書類名】明細書
【補正対象項目名】００４５
【補正方法】変更
【補正の内容】
【００４５】
請求項５に記載の発明は、地上波デジタルテレビジョン放送を受信可能な第１受信部と、地上波デジタル音声放送を受信可能な第２受信部と、前記地上波デジタルテレビジョン放送および前記地上波デジタル音声放送がともに受信された場合には、前記第２受信部の出力信号の周波数帯域を変調して、前記第１受信部の出力信号の周波数帯域の隣接領域に移動させる変調器と、前記変調器の出力信号を前記第１受信機の出力信号に重畳し、前記地上波デジタルテレビジョン放送および前記地上波デジタル音声放送をともに所定の周波数帯域幅に収める加算器と、前記加算器の出力を受け、前記地上波デジタルテレビジョン放送および地上波デジタル音声放送の両放送に共通した信号処理を行う信号処理部とを備え、前記信号処理部においては、前記加算器から出力される前記所定の周波数帯域幅の信号のフーリエ変換処理が行われ、前記フーリエ変換処理の後に、前記地上波デジタルテレビジョン放送の信号処理および前記地上波デジタル音声放送の信号処理が時分割多重で行われるデジタル放送受信機である。
【手続補正１０】
【補正対象書類名】明細書
【補正対象項目名】０１３３
【補正方法】変更
【補正の内容】
【０１３３】
【発明の効果】
請求項１に記載の発明によれば、信号処理部において地上波デジタルテレビジョン放送の一部の帯域または地上波デジタル音声放送の信号処理を行う場合には、電圧制御手段が、地上波デジタルテレビジョン放送の全帯域の信号処理を行う場合に比して、電源の出力電圧値を低くする。よって、地上波デジタルテレビジョン放送の一部の帯域または地上波デジタル音声放送の受信の場合は、地上波デジタルテレビジョン放送の全帯域の受信の場合よりも信号処理部への供給電力を削減することができ、両放送に応じて電力を削減可能なデジタル放送受信機が得られる。
さらに、第１信号補正部が電源の出力電圧値の増減に起因して生じる制御信号の値の増減を補正する。よって、電源の出力電圧値が変化しても、クロック生成部で生成される動作クロックの周波数に影響しない。
さらに、第１信号補正部はＰＷＭ信号発生器と積分器とを含み、ＰＷＭ信号発生器は、パルス列のパルス幅を電源の出力電圧値の増減に応じて補正することにより、制御信号の値の増減を補正する。よって、レベルコンバータや高価なＤＡ変換器を設けることなく、制御信号の値の増減を補正できる。
【手続補正１１】
【補正対象書類名】明細書
【補正対象項目名】０１３４
【補正方法】削除
【補正の内容】
【手続補正１２】
【補正対象書類名】明細書
【補正対象項目名】０１３５
【補正方法】削除
【補正の内容】
【手続補正１３】
【補正対象書類名】明細書
【補正対象項目名】０１３６
【補正方法】削除
【補正の内容】
【手続補正１４】
【補正対象書類名】明細書
【補正対象項目名】０１３７
【補正方法】変更
【補正の内容】
【０１３７】
請求項２に記載の発明によれば、信号処理部において地上波デジタルテレビジョン放送の一部の帯域または地上波デジタル音声放送の信号処理を行う場合には、電圧制御手段が、地上波デジタルテレビジョン放送の全帯域の信号処理を行う場合に比して、電源の出力電圧値を低くする。よって、地上波デジタルテレビジョン放送の一部の帯域または地上波デジタル音声放送の受信の場合は、地上波デジタルテレビジョン放送の全帯域の受信の場合よりも信号処理部への供給電力を削減することができ、両放送に応じて電力を削減可能なデジタル放送受信機が得られる。
さらに、第２信号補正部は、電源の出力電圧値の増減に起因して生じる、デインタリーブブロックとメモリとの間でやり取りされる信号の値の増減を補正して、データをメモリに与える。よって、電源の出力電圧値が変化しても、メモリにおける読み出し・書き込み動作に影響を与えることがない。
【手続補正１５】
【補正対象書類名】明細書
【補正対象項目名】０１３８
【補正方法】変更
【補正の内容】
【０１３８】
請求項３に記載の発明によれば、地上波デジタルテレビジョン放送または地上波デジタル音声放送に含まれる階層の多寡に応じて、どの階層別デインタリーブ処理部を起動させるかが決定され、また、メモリの記憶領域も階層の多寡に応じてどの記憶領域が使用されるかが決定される。よって、受信する階層が少ない場合には、使用しない階層別デインタリーブ処理部やメモリの記憶領域の電力が削減でき、両放送に応じて電力を削減可能なデジタル放送受信機が得られる。
【手続補正１６】
【補正対象書類名】明細書
【補正対象項目名】０１３９
【補正方法】変更
【補正の内容】
【０１３９】
請求項４に記載の発明によれば、第１および第２変調器並びに加算器が、地上波デジタル音声放送の特定チャンネルの周波数帯域の上下にガードバンドを付け直す。よって、音声放送の場合であっても、信号処理部においてガードバンドに信号が入り込んでいないかどうかを調べることにより、周波数ずれを検出することができる。その結果、正しく希望チャンネルの情報を抽出できているか確認することができる。
【手続補正１７】
【補正対象書類名】明細書
【補正対象項目名】０１４０
【補正方法】変更
【補正の内容】
【０１４０】
請求項５に記載の発明によれば、加算器が地上波デジタルテレビジョン放送および地上波デジタル音声放送をともに所定の周波数帯域幅に収め、信号処理部が所定の周波数帯域幅の信号のフーリエ変換処理を行って、地上波デジタルテレビジョン放送の信号処理および地上波デジタル音声放送の信号処理を時分割多重で行う。よって、テレビジョン放送と音声放送との二つの受信機を併設する場合に比べて、少ない回路要素で両放送の同時受信が可能である。そのため、低消費電力で同時受信が可能なデジタル放送受信機が得られる。